(57)【要約】【課題】デバイスに対して取付けおよび取外しされるモジュール型コネクタを特別な部材を使用せずに簡単に一括して取付けおよび取外しさせることができる。【解決手段】外部からの入出力線との接続に複数のモジュール型コネクタ３を用いているデバイス２の当該モジュール型コネクタ３を一括して着脱させるためのモジュール型コネクタ一括着脱装置１であって、本体１００および１０１と、当該本体１００および１０１の下端を開閉させるためのコイルバネ６と、当該本体１００および１０１の下端に設けられ、モジュール型コネクタ３の取外しおよび取付けのときに複数のモジュール型コネクタ３を一括して嵌合して移動させるためのツメ５とを備えている。【選択図】図１
2005310627.tif 000002
【特許請求の範囲】
【請求項１】
外部からの入出力線との接続に複数のモジュール型コネクタを用いているデバイスの当該モジュール型コネクタを一括して着脱させるためのモジュール型コネクタ一括着脱装置であって、
本体と、
前記本体の下端を開閉させるための開閉手段と、
当該本体の開閉可能な下端に設けられ、前記モジュール型コネクタの取外しおよび取付けのときに複数の前記モジュール型コネクタを一括して嵌合するための嵌合手段と
を備えたことを特徴とするモジュール型コネクタ一括着脱装置。
【請求項２】
前記本体は、略々Ｖ字型の断面形状を有していることを特徴とする請求項１に記載のモジュール型コネクタ一括着脱装置。
【請求項３】
前記開閉手段は、前記本体の挟み込み幅の全長に対して設けられた板バネから構成されていることを特徴とする請求項１または２に記載のモジュール型コネクタ一括着脱装置。
【請求項４】
２以上の前記モジュール型コネクタ一括着脱装置を連結させるための連結手段をさらに備えたことを特徴とする請求項１ないし３のいずれか１項に記載のモジュール型コネクタ一括着脱装置。
【請求項５】
前記本体は上部と下部とから構成され、下部を選択交換して用いるものであって、
前記下端の開閉度が異なる複数の下部の中から前記モジュール型コネクタのコネクタサイズに合ったものを選択して前記上部に取り付けて用いることを特徴とする請求項１ないし４のいずれか１項に記載のモジュール型コネクタ一括着脱装置。
【請求項６】
前記モジュール型コネクタの取外しおよび取付けのときのコネクタ位置の目安とするための基準位置表示手段をさらに備えたことを特徴とする請求項１ないし５のいずれか１項に記載のモジュール型コネクタ一括着脱装置。
【発明の詳細な説明】
【技術分野】
【０００１】
この発明はモジュール型コネクタ一括着脱装置に関し、特に、複数のモジュール型コネクタを使用しているデバイスにおける当該モジュール型コネクタを一括して着脱するためのモジュール型コネクタ一括着脱装置に関するものである。
【背景技術】
【０００２】
従来のモジュール型コネクタ装置においては、着脱対象の複数のコネクタをあらかじめ連結体で固定しておき、その単位でコネクタを取外せる構造となっている（例えば、特許文献１参照。）。
【０００３】
【特許文献１】特開平６−８４５６４号公報
【発明の開示】
【発明が解決しようとする課題】
【０００４】
従来のモジュール型コネクタ装置は、取り付けられているコネクタを任意の個数で取外すことが可能であるが、そのためには、一括着脱対象のコネクタをあらかじめ連結体で固定しておく必要がある。しかしながら、実際にデバイスに取付けられているコネクタは、接続される入出力の数により、デバイス毎に様々に個数が異なるため、従来装置のように、コネクタをあらかじめ上記の連結体等の特別な部材で固定してからの着脱では作業性が悪くなってしまうという問題点があった。
【０００５】
この発明はかかる問題点を解決するためになされたものであり、デバイスに対して取付けおよび取外しされるモジュール型コネクタを特別な部材を使用せずに簡単に一括して着脱させることができるモジュール型コネクタ一括着脱装置を得ることを目的としている。
【課題を解決するための手段】
【０００６】
この発明は、外部からの入出力線との接続に複数のモジュール型コネクタを用いているデバイスの当該モジュール型コネクタを一括して着脱させるためのモジュール型コネクタ一括着脱装置であって、本体と、前記本体の下端を開閉させるための開閉手段と、当該本体の開閉可能な下端に設けられ、前記モジュール型コネクタの取外しおよび取付けのときに複数の前記モジュール型コネクタを一括して嵌合するための嵌合手段とを備えたモジュール型コネクタ一括着脱装置である。
【発明の効果】
【０００７】
この発明は、外部からの入出力線との接続に複数のモジュール型コネクタを用いているデバイスの当該モジュール型コネクタを一括して着脱させるためのモジュール型コネクタ一括着脱装置であって、本体と、前記本体の下端を開閉させるための開閉手段と、当該本体の開閉可能な下端に設けられ、前記モジュール型コネクタの取外しおよび取付けのときに複数の前記モジュール型コネクタを一括して嵌合するための嵌合手段とを備えたモジュール型コネクタ一括着脱装置であるので、デバイスに対して取付けおよび取外しされるモジュール型コネクタを特別な部材を使用せずに簡単に一括して取付けおよび取外しさせることができる。
【発明を実施するための最良の形態】
【０００８】
実施の形態１．
以下、この発明の実施の形態１に係るモジュール型コネクタ一括着脱装置について図１に基づいて説明する。図１（ａ）は、モジュール型コネクタ一括着脱装置１（以下、一括着脱装置１とする。）の構成を示し、図１（ｂ）は、モジュール型コネクタが取り付けられているデバイス２の構成を示している。デバイス２のモジュール型コネクタ３が、この発明の一括着脱装置１により取り外されることとする。なお、図１（ａ）において、（ａ１）は一括着脱装置１の上面図、（ａ２）は側面図、（ａ３）は正面図である。また、図１（ｂ）において、（ｂ１）はデバイス２の側面図、（ｂ２）はデバイス２の正面図である。
【０００９】
図１（ｂ）に示すように、デバイス２の上面には、外部からの入出力線との接続に用いるための複数のモジュール型コネクタ３が一列に取り付けられている。各モジュール型コネクタ３には、モジュール型コネクタ３をデバイス２から取外す際に使用するツメ４が設けられている。ツメ４は、モジュール型コネクタ３の両側で１対となっている。
【００１０】
また、図１（ａ）の（ａ２）に示すように、一括着脱装置１は、断面形状が略々Ｖ字型になるように配置された本体１００及び１０１を備えている。本体１００および１０１は、形状および大きさの等しい１対の平板から構成されている。本体１００および１０１の内側の中央部分には、それぞれ、Ｖ字型の内側の空間に向かって延びている突起１０２および１０３が設けられており、軸１０４により互いに係合されて、軸１０４を中心とする回転動作が所定の範囲で可能になっている。突起１０２および１０３の上部には、本体１００および１０１に両端が固着されたコイルバネ６が設けられている。当該コイルバネ６は、本体１００および１０１の下端を開閉させるための開閉手段を構成している。本体１００および１０１は、通常時には、コイルバネ６のコイルバネ圧により、Ｖ字型の上部（上端）が開いて、下部（下端）が閉じた状態になっている。なお、当該下部（下端）は、完全に閉じておらず、図１（ａ）の（ａ２）に示すように、通常時においても、所定の空間７を残した状態（すなわち、所定間隔だけ離間した状態）で閉じている。しかしながら、作業員が、本体１００および１０１の上部の操作部８および９（またはその付近）を指で押さえることにより、コイルバネ６が縮み、Ｖ字型の下部が開いた状態になる。本体１００および１０１の下端には、図１（ａ）に示すように、モジュール型コネクタの取外しおよび取付けのときに複数のモジュール型コネクタ３を一括して嵌合して移動させるためのツメ５が設けられている。ツメ５は、図１（ａ）の（ａ３）に示すように、本体１００および１０１の横幅（モジュール型コネクタ３の挟み込み幅）の長さと同じ長さの横幅を有しており、本体１００および１０１の下辺の全長にわたって設けられている。また、ツメ５には、図１（ａ）の（ａ２）に示すように、デバイス２のツメ４を引っ掛けるためのツメ４と相補形の凹部５ａが内側に設けられている。凹部５ａは、図１（ａ）の（ａ３）に示されるように、ツメ５の幅方向の全長にわたって設けられている。
【００１１】
次に動作について説明する。図２に示すように、デバイス２に取付けられているモジュール型コネクタ３を一括して取外すために、まず、作業員が、一括着脱装置１の操作部８および９を指で押さえることにより、コイルバネ６のコイルバネ圧により閉じられているＶ字型の下部の空間７を広げる。次に、空間７を広げたまま、デバイス２に取付けられているモジュール型コネクタ３のツメ４に一括着脱装置１のツメ５の凹部５ａを合わせた後に、一括着脱装置の操作部８および９を押さえている指の力を少し緩めることにより、ツメ４と凹５ａとを係合させる。これにより、コイルバネ６のコイルバネ圧によりモジュール型コネクタ３のツメ４がツメ５により押さえられる。そのままの状態で、一括着脱装置１を作業員が上方に持ち上げることにより、デバイス２に取付けられているモジュール型コネクタ３を一括して取外すことができる。逆に、取付けの際は上記と逆の動作を実施することにより、デバイス２にモジュール型コネクタ３を一括して取りつけることができる。以上の動作にて、モジュール型コネクタ３の一括取外しおよび一括取付けが可能となる。
【００１２】
以上のように、本実施の形態に係るモジュール型コネクタ一括着脱装置１は、略々Ｖ字型の断面形状を有して下端が開閉可能な本体１００および１０１と、モジュール型コネクタの取付けおよび取外しのときに複数のモジュール型コネクタ３を一括して嵌合して移動させることができるツメ５とを備えているので、デバイスに取付けられるモジュール型コネクタ３を簡単に一括して着脱することができる。なお、従来のコネクタ装置のように、着脱対象のコネクタを連結体等の特別な部材で連結させておく必要もなく、任意のデバイス２に対して適用可能である。また、一括着脱装置１として、横幅の異なるものを複数個用意しておき、着脱したいモジュール型コネクタ３の個数に合わせて、適宜使い分けるようにすれば、任意の個数のモジュール型コネクタ３の着脱が可能になる。図１および図２においては、４つのモジュール型コネクタ３を一括して着脱する例を示しているが、一括着脱装置１の横幅の長さを１／２にすれば、２つのモジュール型コネクタ３を一括して取り外せ、且つ、残りの２つは取り外さずに残すことができる。また、一括着脱装置１により、取り外しの逆の動作を実施することにより、デバイス２にモジュール型コネクタ３を一括して取りつけることも可能である。
【００１３】
実施の形態２．
上記の実施の形態１では、図１及び図２のように、モジュール型コネクタ一括着脱装置１にてデバイス２からモジュール型コネクタ３を引抜く際に、コイルバネ６のコイルバネ圧を利用して、モジュール型コネクタ３の挟み込みを行っている。コイルバネ圧での挟み込みの場合、図１（ａ）の（ａ１）から明らかなように、コイルバネ６は幅方向の中央部分にのみ設けられているため、モジュール型コネクタ３を引抜く際の挟み込みの力が本体１００および１０１の幅方向の全長（挟み込み幅の全長）に対して均等に伝わらないために、引抜き時にモジュール型コネクタ３の抜き取りがすべて良好に行われずに、奥行き方向の両端付近のモジュール型コネクタ３については、若干、引き抜きにくい可能性がある。
【００１４】
そのため、本実施の形態においては、図１における一括着脱装置１のコイルバネ６の替わりに、図３に示すように、モジュール型コネクタ３の挟み込み幅の全長に対して設けられた板バネ１０を用いることとする。他の構成については、実施の形態１と同じであるため、ここでは、説明を省略する。なお、図３（ａ）において、（ａ１）は一括着脱装置１の上面図、（ａ２）は側面図、（ａ３）は正面図である。また、図３（ｂ）において、（ｂ１）はデバイス２の側面図、（ｂ２）はデバイス２の正面図である。本体１００および１０１の下端を開閉させるための開閉手段を板バネ１０に変更することにより、バネ圧が本体１００および１０１の幅方向の全長（挟み込み幅の全長）に対して均等に加わり、デバイス２に取付けられているモジュール型コネクタ３のすべての挟み込みが確実に実施され、モジュール型コネクタ３の引抜き数が多い場合においても確実に着脱することができる。
【００１５】
以上のように、本実施の形態においては、上記の実施の形態１と同様の効果が得られるとともに、さらに、板バネ１０のバネ圧を利用してモジュール型コネクタ３を挟み込むようにしたので、バネ圧が本体１００および１０１の幅方向の全長に対して均等に加わり、モジュール型コネクタ３の引抜き数が多い場合においても確実かつ容易に着脱することができる。
【００１６】
実施の形態３．
上記の実施の形態１および２では、デバイス２のモジュール型コネクタ３を数個一括して取外せる構造となっているが、デバイス２によっては、モジュール型コネクタ３の個数が多数取付けられているものが多く存在する。そのため、本実施の形態においては、図４のように、２つのモジュール型コネクタ一括着脱装置１１および１２を連結可能な構造とすることにより、デバイス２のモジュール型コネクタ３の個数が増えた場合に対応できるようにする。なお、図４（ａ）において、（ａ１）は一括着脱装置１の側面図、（ａ２）は正面図である。また、図４（ｂ）において、（ｂ１）はデバイス２の側面図、（ｂ２）はデバイス２の正面図である。
【００１７】
本実施の形態に係るモジュール型コネクタ一括着脱装置１１および１２は、基本的に、上記の実施の形態１または２で説明したモジュール型コネクタ一括着脱装置と同じ構成をしているが、さらに、連結させるための連結手段として、図４および図５に示すように、モジュール型コネクタ一括着脱装置１１の一方の側面に設けられた差込み用の突起物１４と、他方の側面に設けられ、突起物１４を嵌合させるための相補形の差込穴１３とを備えている。なお、図５において、（ａ１）は一括着脱装置１の左側面図、（ａ２）は正面図、（ａ３）は右側面図である。
【００１８】
これにより、図６のように、モジュール型コネクタ一括着脱装置１１の突起物１４をモジュール型コネクタ一括着脱装置１２の差込穴１３に差し込むことにより二つのコネクタを連結することができる。このような構造とすることにより、デバイス２のモジュール型コネクタ３の個数が多くなった場合においても対応することが可能である。
【００１９】
以上のように、本実施の形態においては、上記の実施の形態１および２と同様の効果が得られるとともに、さらに、複数の一括着脱装置を連結できる構成にしたので、デバイス２のモジュール型コネクタ３の個数が多くなった場合においても対応することが可能である。
【００２０】
実施の形態４．
上記の実施の形態１〜３においては、デバイス２のモジュール型コネクタ３のコネクタサイズが異なる場合には、引抜きが行えない構造となっている。そのため、本実施の形態においては、図７のように、モジュール型コネクタ一括着脱装置の構成を、上部１６と下部１７とで分離できる構成としておき、モジュール型コネクタ３を挟み込む下部１７の部分を取外して、選択交換できる構成とする。これにより、コネクタサイズが違うモジュール型コネクタ３にも対応できるようにする。なお、図７において、（ａ１）は一括着脱装置１の側面図、（ａ２）は正面図である。
【００２１】
すなわち、本実施の形態においては、下部１７の交換ができるようにするために、モジュール型コネクタ着脱装置の上部１６とモジュール型コネクタ３を挟み込む下部１７を分離することができるような構造とし、コネクタサイズが違うものに対応した複数の下部１８および１９に差替えることにより、コネクタサイズの異なるものが取付けられているデバイス２にも対応できるようになる（なお、以下、下部１８および１９を総称して、下部１７とする。）。具体的には、図７（ａ）に示すように、下部１８においてはツメ５が内側に寄って設けられており、下部１９においては、ツメ５が中央付近に設けられている。これにより、下部１８を上部１６に取り付けた場合と、下部１９を上部１６に取り付けた場合とでは、図１で説明した空間７の大きさ（開閉度）が異なる。これにより、コネクタサイズの大きさが大きいモジュール型コネクタ３の場合には下部１９を用いて、コネクタサイズが小さい場合には下部１８を用いるようにする。なお、一括着脱装置の他の構成については、上記実施の形態１または２のいずれかと同じであるとして、ここでは、その説明を省略する。
【００２２】
なお、モジュール型コネクタ一括着脱装置における上部１６と下部１７の取外しおよび取付け方法について、図８を用いて説明する。図８において、右側の図は、取付部の構造がわかるように、断面図形式で記載されている。当該図に示されるように、下部１７には、Ｌ字型の部材３０が内部に設けられている。Ｌ字型の部材３０の上方に延びている一端は、図７（ａ）に示すように下部１７の上端から上方に突きだしており、その突き出し部分の外側にはツメ２３が設けられている。また、Ｌ字型の部材３０の水平方向に延びている他端は、図７及び図８に示されるように、下部１７の正面方向に突きだしており、その突き出し部分がボタン２０となっている。Ｌ字型の部材３０の直角部分のボタン２０の反対側にはバネ２１が設けられている。これにより、ボタン２０が押下されるとバネ２１が縮むような構成になっている。
【００２３】
一方、上部１６には、図８に示すように、下端部分に、略々矩形の凹部３１が設けられている。凹部３１の内部空間には、ツメ２２が突き出すように設けられている。
【００２４】
このような構成になっているので、動作について説明すれば、上部１６、下部１７の取付け時は、下部１７のボタン２０を指で押しながら、上部１６の凹部３１内にＬ字型の部材３０のツメ２３が設けられている突き出し部分を差込む。差込んだ後、指で押しているボタン２０を離すことにより、バネ２１のバネ圧により、上部１６のツメ２２と下部１７のツメ２３が噛み合うことにより確実に取付けすることができる。逆に上部１６と下部１７を取外す際は上記と逆の動作をすることにより、取外すことができる。以上の構造とすることで、コネクタサイズの違いに対応できる装置となる。
【００２５】
以上のように、本実施の形態によれば、上記の実施の形態１および２と同様の効果が得られるとともに、さらに、一括着脱装置を上部と下部とで分離可能な構成としておき、下端の開閉度の異なる複数の下部の中からモジュール型コネクタ３のコネクタサイズに合ったものを選択して本体上部に取り付けて用いるようにしたので、任意の大きさのモジュール型コネクタ３が設けられているデバイス２にも対応可能である。
【００２６】
実施の形態５．
本実施の形態５においては、モジュール型コネクタ一括着脱装置３５として、図９のように、実施の形態３及び４の一括着脱装置を組み合わせた構成を有するものとする。すなわち、２つの一括着脱装置を結合させることができるとともに、一括着脱装置を上部と下部で分離できるようにしておいて、下部の交換が可能な構成とした。これにより、デバイス２に取り付けられているモジュール型コネクタ３の取付け数の違い及びコネクタサイズの違いにフレキシブルに対応できる一括着脱装置となる。
【００２７】
さらに、一括着脱装置３５でモジュール型コネクタ３を着脱する場合、モジュール型コネクタ３が一括着脱装置３５に隠れてしまい、着脱するコネクタ位置が分かりにくいため、図９に示すように、モジュール型コネクタの取外しおよび取付けのときのコネクタ位置の目安とするための基準位置表示手段を構成する基準印２４を一括着脱装置３５に設けるようにした。基準印２４は、モジュール型コネクタ着脱時の目安となるためのくぼみ状の印である。
【００２８】
以上のように、本実施の形態においては、上記実施の形態１〜４と同様の効果が得られるとともに、さらに、基準印２４を設けることにより、着脱時に対象コネクタの位置合わせが確実に出来るようになり、数が多いコネクタの着脱ミス及び逆挿入の防止が図れる。
【図面の簡単な説明】
【００２９】
【図１】この発明の実施の形態１に係るモジュール型コネクタ一括着脱装置および着脱対象のモジュール型コネクタが取り付けられているデバイスの構成を示した説明図である。
【図２】この発明の実施の形態１に係るモジュール型コネクタ一括着脱装置の動作を示した説明図である。
【図３】この発明の実施の形態２に係るモジュール型コネクタ一括着脱装置および着脱対象のモジュール型コネクタが取り付けられているデバイスの構成を示した説明図である。
【図４】この発明の実施の形態３に係るモジュール型コネクタ一括着脱装置および着脱対象のモジュール型コネクタが取り付けられているデバイスの構成を示した説明図である。
【図５】この発明の実施の形態３に係るモジュール型コネクタ一括着脱装置の構成を示した説明図である。
【図６】この発明の実施の形態３に係るモジュール型コネクタ一括着脱装置の動作を示した説明図である。
【図７】この発明の実施の形態４に係るモジュール型コネクタ一括着脱装置の構成を示した説明図である。
【図８】この発明の実施の形態４に係るモジュール型コネクタ一括着脱装置の動作を示した説明図である。
【図９】この発明の実施の形態５に係るモジュール型コネクタ一括着脱装置および着脱対象のモジュール型コネクタが取り付けられているデバイスの構成を示した説明図である。
【符号の説明】
【００３０】
１，１１，１２，３５  モジュール型コネクタ一括着脱装置、２  デバイス、３  モジュール型コネクタ、４  ツメ、５  ツメ、６  コイルバネ、７  空間、８，９  操作部、１０  板バネ、１３  差込穴、１４  突起物、１６  上部、１７，１８，１９  下部。
【図１】
2005310627.tif 000003
【図２】
2005310627.tif 000004
【図３】
2005310627.tif 000005
【図４】
2005310627.tif 000006
【図５】
2005310627.tif 000007
【図６】
2005310627.tif 000008
【図７】
2005310627.tif 000009
【図８】
2005310627.tif 000010
【図９】
2005310627.tif 000011